【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法であって、
前記交換機の第１プロトコル機能が、第１プロトコルレイヤ用メッセージを、前記交換機の第２プロトコル機能に送信する工程と、
前記交換機の第１プロトコル機能が、前記第１プロトコルレイヤ用メッセージを、前記交換機の第２プロトコル機能に送信する際に、該第１プロトコルレイヤ用メッセージの再送タイミングを決定する再送タイマを起動する工程と、
前記交換機の第２プロトコル機能が、前記第１プロトコル用メッセージを含む第２プロトコル用メッセージを、ハンドオーバ元無線基地局に送信する工程と、
前記交換機の第２プロトコル機能が、前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、前記交換機の第１プロトコル機能に、前記第１プロトコルレイヤ用メッセージの再送要求を送信する工程と、
前記交換機の第１プロトコル機能が、前記再送要求に応じて、前記交換機の第２プロトコル機能に、前記第１プロトコルレイヤ用メッセージを再送する工程と、
前記第２プロトコル機能が、前記第１プロトコル用メッセージを含む第２プロトコル用メッセージを、前記ハンドオーバ先無線基地局に再送する工程と、
前記交換機の第１プロトコル機能が、前記交換機の第２プロトコル機能からの通知に応じて、前記再送タイマをリセットする工程とを有することを特徴とする移動通信方法。
【請求項２】
移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法であって、
前記交換機の第１プロトコル機能が、第１プロトコルレイヤ用メッセージを、前記交換機の第２プロトコル機能に送信する工程と、
前記交換機の第１プロトコル機能が、前記第１プロトコルレイヤ用メッセージを、前記交換機の第２プロトコル機能に送信する際に、該第１プロトコルレイヤ用メッセージの再送タイミングを決定する第１再送タイマを起動する工程と、
前記交換機の第２プロトコル機能が、前記第１プロトコル用メッセージを含む第２プロトコル用メッセージを、ハンドオーバ元無線基地局に送信する工程と、
前記交換機の第２プロトコル機能が、前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、その旨を前記交換機の第１プロトコル機能に通知すると共に、前記第１プロトコル用メッセージを含む第２プロトコル用メッセージを前記ハンドオーバ先無線基地局に再送する工程と、
前記交換機の第１プロトコル機能が、前記交換機の第２プロトコル機能からの通知に応じて、前記第１再送タイマをリセットする工程とを有することを特徴とする移動通信方法。
【請求項３】
前記交換機の第２プロトコル機能が、前記第２プロトコルレイヤ用メッセージを、前記ハンドオーバ元無線基地局に送信する際に、該第２プロトコルレイヤ用メッセージの再送タイミングを決定する第２再送タイマを起動する工程と、
前記交換機の第２プロトコル機能が、前記ハンドオーバ元無線基地局から、前記第１プロトコル用メッセージの無線インターフェイスを介した前記移動局に対する転送に失敗した旨を通知する第２プロトコル用応答メッセージを受信した後、前記ハンドオーバ先無線基地局から、前記移動局のハンドオーバが完了した旨の通知を受信した場合に、前記第２再送タイマをリセットする工程とを有することを特徴とする請求項２に記載の移動通信方法。
【請求項４】
前記ハンドオーバ元無線基地局が、前記第２プロトコルにおけるシーケンス番号によって、前記転送に失敗した前記第２プロトコル用メッセージを特定することを特徴とする請求項２に記載の移動通信方法。
【請求項５】
前記ハンドオーバ元無線基地局が、前記第２プロトコルの下位レイヤのプロトコルにおけるシーケンス番号によって、前記転送に失敗した前記第２プロトコル用メッセージを特定することを特徴とする請求項２に記載の移動通信方法。
【請求項６】
移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法で用いられる交換機であって、
前記交換機の第１プロトコル機能は、
第１プロトコルレイヤ用メッセージを、前記交換機の第２プロトコル機能に送信すると共に、バッファに蓄積するように構成されており、
前記第１プロトコルレイヤ用メッセージを、前記交換機の第２プロトコル機能に送信する際に、該第１プロトコルレイヤ用メッセージの再送タイミングを決定する再送タイマを起動するように構成されており、
前記交換機の第２プロトコル機能から受信した前記第１プロトコルレイヤ用メッセージの再送要求に応じて、前記交換機の第２プロトコル機能に、前記バッファに蓄積されている該第１プロトコルレイヤ用メッセージを再送するように構成されており、
前記交換機の第２プロトコル機能からの通知に応じて、前記再送タイマをリセットするように構成されており、
前記交換機の第２プロトコル機能は、
前記交換機の第１プロトコル機能から受信した前記第１プロトコル用メッセージを含む第２プロトコル用メッセージを、ハンドオーバ元無線基地局に送信するように構成されており、
前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、前記交換機の第１プロトコル機能に、前記再送要求を送信するように構成されており、
前記交換機の第１プロトコル機能から受信した前記第１プロトコル用メッセージを含む第２プロトコル用メッセージを、前記ハンドオーバ先無線基地局に再送するように構成されていることを特徴とする交換機。
【請求項７】
移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法で用いられる交換機であって、
前記交換機の第１プロトコル機能は、
第１プロトコルレイヤ用メッセージを、前記交換機の第２プロトコル機能に送信するように構成されており、
前記第１プロトコルレイヤ用メッセージを、前記交換機の第２プロトコル機能に送信する際に、該第１プロトコルレイヤ用メッセージの再送タイミングを決定する第１再送タイマを起動するように構成されており、
前記交換機の第２プロトコル機能からの通知に応じて、前記第１再送タイマをリセットするように構成されており、
前記交換機の第２プロトコル機能は、
前記交換機の第１プロトコル機能から受信した前記第１プロトコル用メッセージを含む第２プロトコル用メッセージを、ハンドオーバ元無線基地局に送信すると共に、バッファに蓄積するように構成されており、
前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、その旨を前記交換機の第１プロトコル機能に通知すると共に、前記バッファに蓄積されている前記第２プロトコル用メッセージを前記ハンドオーバ先無線基地局に再送するように構成されていることを特徴とする交換機。
【請求項８】
前記交換機の第２プロトコル機能は、前記第２プロトコルレイヤ用メッセージを、前記ハンドオーバ元無線基地局に送信する際に、該第２プロトコルレイヤ用メッセージの再送タイミングを決定する第２再送タイマを起動するように構成されており、
前記交換機の第２プロトコル機能は、前記ハンドオーバ元無線基地局から、前記第１プロトコル用メッセージの無線インターフェイスを介した前記移動局に対する転送に失敗した旨を通知する第２プロトコル用応答メッセージを受信した後、前記ハンドオーバ先無線基地局から、前記移動局のハンドオーバが完了した旨の通知を受信した場合に、前記第２再送タイマをリセットするように構成されていることを特徴とする請求項７に記載の交換機。